(57)【要約】【課題】利用者に効果的にコンテンツを視聴させることができる情報処理装置を提供する。【解決手段】情報処理装置は、管理情報と嗜好情報とを格納する記憶部と、外部と通信する通信部と、管理情報に基づいて記憶部に情報の読み書きに制限を設定した占有領域を作成し、通信部を介して嗜好情報に基づいてコンテンツを取得して占有領域に格納する制御部とを有する。【選択図】図３
2009232075.tif 000002
【特許請求の範囲】
【請求項１】
利用者を特定する管理情報を格納する記憶部と、
外部と通信する通信部と、
前記管理情報に基づいて前記記憶部に情報の読み書きの制限を設定した占有領域を作成し、前記通信部を介してコンテンツを取得して前記占有領域に格納する制御部とを有することを特徴とする情報処理装置。
【請求項２】
利用者を特定する管理情報と利用者の操作履歴である嗜好情報とを格納する記憶部と、
外部と通信する通信部と、
前記管理情報に基づいて前記記憶部に情報の読み書きに制限を設定した占有領域を作成し、前記通信部を介して前記嗜好情報に基づいてコンテンツを取得して前記占有領域に格納する制御部とを有することを特徴とする情報処理装置。
【請求項３】
前記制御部は、前記占有領域に格納された前記コンテンツを前記管理情報に基づいて再生することを特徴とする請求項１又は２に記載の情報処理装置。
【請求項４】
前記制御部は、前記占有領域に格納された前記コンテンツを前記嗜好情報に基づいて再生することを特徴とする請求項２に記載の情報処理装置。
【請求項５】
利用者を特定する管理情報と利用者の操作履歴である嗜好情報とを格納する記憶部と、
外部と通信する通信部と、
前記管理情報に基づいて前記記憶部に情報の読み書きに制限を設定した占有領域を作成し、前記通信部を介して前記嗜好情報に基づいてコンテンツを取得して前記占有領域に格納するとともに、前記占有領域に格納された前記コンテンツを前記管理情報及び前記嗜好情報のうち少なくとも一つに基づいて再生する制御部とを有することを特徴とする情報処理装置。
【請求項６】
前記制御部は、管理情報に基づいて前記占有領域の容量を決定することを特徴とする請求項１、２、又は５のいずれか１つに記載の情報処理装置。
【発明の詳細な説明】
【技術分野】
【０００１】
本発明は、情報処理装置に関する。
【背景技術】
【０００２】
従来の技術として、利用者に対して番組に利用者の嗜好に適したコンテンツを付加させて配信する番組配信システムがある（例えば、特許文献１参照）。
【０００３】
この番組配信システムは、受信した番組を再生するとともに番組の再生履歴等に基づいて利用者の視聴情報を収集する視聴端末と、視聴端末から利用者の嗜好情報を収集し嗜好情報に適したコンテンツを選択して新たに配信する番組に挿入する番組配信サーバとを有し、利用者の嗜好に対して適切なコンテンツを番組に付加することができる。
【特許文献１】特開２００３−１７９９０１号公報
【発明の開示】
【発明が解決しようとする課題】
【０００４】
しかし、従来の情報処理装置によると、コンテンツは利用者がコンテンツが付加された番組を視聴しなければ再生されないため、必ずしも利用者に視聴されるとは限らない。
【０００５】
従って、本発明の目的は、利用者に効果的にコンテンツを視聴させることができる情報処理装置を提供することにある。
【課題を解決するための手段】
【０００６】
（１）本発明は上記目的を達成するため、利用者を特定する管理情報を格納する記憶部と、外部と通信する通信部と、前記管理情報に基づいて前記記憶部に情報の読み書きの制限を設定した占有領域を作成し、前記通信部を介してコンテンツを取得して前記占有領域に格納する制御部とを有することを特徴とする情報処理装置を提供する。
【０００７】
上記した構成によれば、コンテンツは、情報処理装置の記憶部に格納されるため、付随して再生される情報が限定されず、情報処理装置の動作に合わせて再生することができるため利用者にコンテンツを視聴させることができる。
【０００８】
（２）本発明は上記目的を達成するため、利用者を特定する管理情報と利用者の操作履歴である嗜好情報とを格納する記憶部と、外部と通信する通信部と、前記管理情報に基づいて前記記憶部に情報の読み書きに制限を設定した占有領域を作成し、前記通信部を介して前記嗜好情報に基づいてコンテンツを取得して前記占有領域に格納する制御部とを有することを特徴とする情報処理装置を提供する。
【０００９】
上記した構成によれば、（１）の効果に加え、利用者の操作履歴に基づいてコンテンツを取得するため、利用者の嗜好に合ったコンテンツを取得することができる。
【００１０】
（３）本発明は上記目的を達成するため、利用者を特定する管理情報と利用者の操作履歴である嗜好情報とを格納する記憶部と、外部と通信する通信部と、前記管理情報に基づいて前記記憶部に情報の読み書きに制限を設定した占有領域を作成し、前記通信部を介して前記嗜好情報に基づいてコンテンツを取得して前記占有領域に格納するとともに、前記占有領域に格納された前記コンテンツを前記管理情報及び前記嗜好情報のうち少なくとも一つに基づいて再生する制御部とを有することを特徴とする情報処理装置を提供する。
【００１１】
上記した構成によれば、（１）及び（２）の効果に加え、利用者の操作履歴に基づいてコンテンツを再生するため、利用者の嗜好に合ったタイミングでコンテンツを再生することができる。
【発明の効果】
【００１２】
本発明によれば、利用者に効果的にコンテンツを視聴させることができる。
【発明を実施するための最良の形態】
【００１３】
以下に、本発明の情報処理装置の実施の形態を、図面を参照して詳細に説明する。
【００１４】
図１は、本発明の実施の形態に係る情報処理装置を示す概略図である。
【００１５】
情報処理装置１は、例えば、無線ＬＡＮ（Ｌｏｃａｌ  Ａｒｅａ  Ｎｅｔｗｏｒｋ）モジュール等の無線通信部を内蔵しており、インターネット１０Ａ及びアクセスポイント１０Ｂを介してサーバ１０と通信することができる。情報処理装置１の利用者は、サーバ１０を管理する所定のサービス提供会社と契約し、サービス提供会社は、契約に基づいて後述するコンテンツをサーバ１０から情報処理装置１に対して送信する。
【００１６】
（情報処理装置の構成）
図２は、本発明の実施の形態に係る情報処理装置の外観を示す概略斜視図である。
【００１７】
情報処理装置１は、内蔵された記憶部に記憶された音楽データや映像データ等のコンテンツを再生して音声や映像を出力するとともに携帯電話機能と無線ＬＡＮに対する無線通信機能を有するマルチメディアプレイヤーであって、充電可能な内部電源により動作する。また、情報処理装置１は、本体内部にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品及び充電池等の内部電源を収容しており、利用者の情報及び契約設定の記録されたＳＩＭ（Ｓｕｂｓｃｒｉｂｅｒ  Ｉｄｅｎｔｉｆｙ  Ｍｏｄｕｌｅ）カード２Ａを挿入可能なＳＩＭカードスロット２と、文字や画像等を表示する液晶表示パネル等からなる表示部７Ａと、イヤホン／マイクプラグ８２を挿入可能なイヤホン／マイクジャック８Ａと、メニュー操作やボリューム操作、チャンネル切替操作等を行える複数のスイッチとからなる操作部９とを有する。
【００１８】
イヤホン／マイク８０は、音声を出力するイヤホン８１ａと、音声を収集するマイク８１ｂと、イヤホン／マイクジャック８Ａに挿入可能なイヤホン／マイクプラグ８２とを有する。
【００１９】
図３は、本発明の実施の形態に係る情報処理装置の構成を示すブロック図である。
【００２０】
情報処理装置１は、利用者の情報及び契約内容である管理情報２０の格納されたＳＩＭカード２Ａを挿入可能なＳＩＭカードスロット２と、情報処理装置１内の各部の動作を制御する制御部３と、アンテナ４Ａを介して無線ＬＡＮ等の規格に基づいて無線通信する通信部４と、情報を読み書き可能に格納するＨＤＤ等の記憶部５と、情報を一時的に記憶して各部の処理を補助するメモリ６と、画像情報を処理して表示部７Ａに表示する画像処理部７と、音声情報を処理してイヤホン／マイクジャック８Ａに対して音声の入出力を制御する音声処理部８と、入力される操作内容を制御部に操作信号として出力する操作部９と、アンテナ１１Ａを介した基地局との無線通信に基づいて公衆電話回線に接続可能な電話機能部１１とを有する。
【００２１】
ＳＩＭカード２Ａは、例えば、情報処理装置１の利用者が情報処理装置１の購入時に所定のサービス提供会社と契約することで付与される利用者特定のための情報を含んだカードであり、利用者特定のための情報として管理情報２０を格納する。管理情報は、例えば、シリアルナンバーや電話番号のような利用者を特定するＩＤである。
【００２２】
制御部３は、ＳＩＭカード２Ａの管理情報２０を照合して各種設定を行う照合手段３０と、照合手段３０によって照合された管理情報２０に基づいて記憶部５に後述する占有領域５１を作成する占有手段３１と、管理情報２０及び後述する嗜好情報５０に基づいて通信部４を介して所定のサービス提供会社のサーバ１０からコンテンツ５１ａをダウンロードして占有領域５１に格納するダウンロード手段３２と、占有領域５１に格納されたコンテンツ５１ａを管理情報２０及び嗜好情報５０に基づいて再生する提供手段３３と、利用者の使用履歴に基づいて嗜好情報５０を作成する嗜好検出手段３４とを有する。
【００２３】
記憶部５は、利用者の操作では情報の読み書きができず、占有手段３１、ダウンロード手段３２及び提供手段３３でのみ情報の読み書きが可能であり、例えば、広告情報であるコンテンツ５１ａが格納される占有領域５１と、情報処理装置１の嗜好検出手段３４によって生成される嗜好情報５０とを有する。
【００２４】
占有領域５１は、その記憶容量を管理情報２０に基づいて占有手段３１により決定される。例えば、利用者が所定のサービス提供会社から情報処理装置１を無償で提供された場合には占有領域５１の記憶容量を記憶部５の半分、利用者が情報処理装置１を通常購入した場合には占有領域５１の記憶容量を記憶部５の５分の１に設定する。
【００２５】
嗜好情報５０は、嗜好検出手段３４が情報処理装置１の使用履歴を解析することで生成される。例えば、情報処理装置１において音楽データが再生された場合、音楽データが再生された時刻、頻度、また、音楽データに付随するタイトル、ジャンル、アーティスト情報等を使用履歴として蓄積しておき、嗜好検出手段３４は、その統計を解析することで嗜好情報５０を生成する。
【００２６】
図４は、本発明の実施の形態に係る情報処理装置の表示部における表示例を示す概略図である。
【００２７】
表示部７Ａは、操作部９に対する利用者の操作内容に基づいて表示される利用者表示７１と、利用者表示７１上に表示されるコンテンツ表示７０とを含む画像を表示する。利用者表示７１は、例えば、映像データの再生画像等を表示するものであり、コンテンツ表示７０は、例えば、広告情報画像等を表示するものである。コンテンツ表示７０の表示サイズ及び表示時間は、管理情報２０に基づいて変化する。また、コンテンツ表示７０の利用者表示７１に対する不透明度を変化させてもよい。
【００２８】
（動  作）
以下に、本発明の実施の形態における情報処理装置の動作を各図を参照しつつ説明する。
【００２９】
図５は、本発明の実施の形態に係る情報処理装置の動作を示すフローチャートである。
【００３０】
まず、照合手段３０は、ＳＩＭカードスロット２にＳＩＭカード２Ａが挿入されているか確認し（Ｓ１０）、ＳＩＭカード２Ａが挿入されている場合（Ｓ１０；Ｙｅｓ）、管理情報２０を読み込む（Ｓ１１）。次に、占有手段３１は、照合手段３０の読み込んだ管理情報２０に基づいて記憶部５に対して所定の記憶容量を有する占有領域５１を作成する（Ｓ１２）。
【００３１】
次に、ダウンロード手段３２は、所定の時刻になると（Ｓ１３；Ｙｅｓ）、嗜好情報５０を読み込み（Ｓ１４）、管理情報２０及び嗜好情報５０に基づいて通信部４を介して外部のサーバー１０から占有領域５１にコンテンツ５１ａをダウンロードする（Ｓ１５）。
【００３２】
なお、ステップＳ１３における所定の時刻は、管理情報２０に基づいて変化させてもよい。例えば、利用者が所定のサービス提供会社から情報処理装置１を無償で提供された場合には１時間毎に、利用者が情報処理装置１を通常購入した場合には１２時間おきに設定する。短い間隔でダウンロードを実行すれば新しい情報をコンテンツ５１ａとして取得することができるが、通信部４や記憶部５等の負担が増加し、長い間隔でダウンロードを実行すれば通信部４や記憶部５等の負担は減少するが、常に新しい情報をコンテンツ５１ａとして取得することができなくなる。また、所定の時刻は、情報処理装置１の電源投入時であってもよい。
【００３３】
図６は、本発明の実施の形態に係る情報処理装置の動作を示すフローチャートである。
【００３４】
まず、提供手段３３は、管理情報２０及び嗜好情報５０を読み込む（Ｓ２０）。次に、所定の操作信号を検出した場合（Ｓ２１；Ｙｅｓ）、又は所定の時刻になった場合（Ｓ２２；Ｙｅｓ）、占有領域５１に格納されているコンテンツ５１ａを再生する（Ｓ２３）。
【００３５】
なお、ステップ２１における所定の操作信号は、例えば、映像データ再生の操作がなされた場合、映像データを再生する前にステップＳ２３におけるコンテンツ５１ａの再生を行い、コンテンツ５１ａの再生終了後に映像データ再生を行う。このとき、例えば、照合手段３０は、管理情報２０を参照し、利用者が所定のサービス提供会社から情報処理装置１を無償で提供された場合には、提供手段３３は、コンテンツ５１ａを通常通り再生し、利用者が情報処理装置１を通常購入した場合にはコンテンツ５１ａを半分の時間で再生するように設定する。
【００３６】
また、ステップＳ２２における所定の時刻は、嗜好情報５０に基づいて設定される。例えば、嗜好情報５０において、午後５時に音楽データを再生する頻度が高いと記述されているとき、所定の時刻として午後５時を設定し、ステップＳ２３において音楽に関連するコンテンツ５１ａを再生する。
【００３７】
（実施の形態の効果）
上記した実施の形態によると、情報処理装置１における操作内容に基づいて嗜好情報５０を作成し、利用者の個人情報である管理情報２０と嗜好情報５０とに基づいてコンテンツ５１ａのダウンロード及びコンテンツの再生を実行するため、効果的に利用者にコンテンツ５１ａを視聴させることができる。
【００３８】
なお、情報処理装置１は、コンテンツ５１ａの再生中、利用者がコンテンツ５１ａを視聴しているかどうか確認するためのカメラ等の視聴確認手段を有していてもよい。
【００３９】
また、嗜好情報２０は、例えば、ＨＤＤプレイヤー等の外部機器と接続して、ＨＤＤプレイヤーにおいて録画及び再生された番組情報等から取得しても良い。
【００４０】
また、管理情報２０は、記憶部５に読み書き負荷に格納されていても良い。また、記憶部５は、ＨＤＤに限らず不揮発性メモリ等を用いても良い。
【図面の簡単な説明】
【００４１】
【図１】本発明の実施の形態に係る情報処理装置を示す概略図である。
【図２】本発明の実施の形態に係る情報処理装置の外観を示す概略斜視図である。
【図３】本発明の実施の形態に係る情報処理装置の構成を示すブロック図である。
【図４】本発明の実施の形態に係る情報処理装置の表示部における表示例を示す概略図である。
【図５】本発明の実施の形態に係る情報処理装置の動作を示すフローチャートである。
【図６】本発明の実施の形態に係る情報処理装置の動作を示すフローチャートである。
【符号の説明】
【００４２】
１…情報処理装置、２…ＳＩＭカードスロット、２Ａ…ＳＩＭカード、３…制御部、４…通信部、４Ａ…アンテナ、５…記憶部、６…メモリ、７…画像処理部、７Ａ…表示部、８…音声処理部、８Ａ…イヤホン／マイクジャック、９…操作部、１０…サーバ、１０Ａ…インターネット、１０Ｂ…アクセスポイント、１１…電話機能部、１１Ａ…アンテナ、２０…管理情報、３０…照合手段、３１…占有手段、３２…ダウンロード手段、３３…提供手段、３４…嗜好検出手段、５０…嗜好情報、５１…占有領域、５１ａ…コンテンツ、７０…コンテンツ表示、７１…利用者表示、８０…イヤホン／マイク、８１ａ…イヤホン、８１ｂ…マイク、８２…イヤホン／マイクプラグ
【図１】
2009232075.tif 000003
【図２】
2009232075.tif 000004
【図３】
2009232075.tif 000005
【図４】
2009232075.tif 000006
【図５】
2009232075.tif 000007
【図６】
2009232075.tif 000008